(57)【要約】      （修正有）【課題】美観向上のために変色する眼鏡のフレームを提供する。【解決手段】眼鏡フレーム１０のロッド１５における表面に、１層の感光変色層３０が塗布されている。２−５ｗ％のフォトクロミック染料と、９８−９５ｗ％の微細カプセル粉を混合して、１−１０μｍの感光変色カプセル粉を形成し、その感光変色カプセル粉を３−３０ｗ％含むものを塗布原料とする。これにより、光の強弱で異なる色の変化が生じる。【選択図】図５
0003105328.tif 000002
【実用新案登録請求の範囲】
【請求項１】
フレームのロッドの表面に感光変色するフォトクロミック材料を塗布してなる１層の感光変色層を設けて、光の強弱により異なる色の変化が生じるようにした眼鏡フレーム。
【請求項２】
請求項１記載の眼鏡フレームにおいて、感光変色層は、２−５ｗ％のフォトクロミック染料と９８−９５ｗ％の微細カプセル粉を混合して、粒径１−１０μｍの感光変色カプセルを形成し、感光変色カプセルを３−３０ｗ％含む塗布原料を眼鏡フレームのロッドの半製品表面に塗布してなることを特徴とする眼鏡フレーム。
【請求項３】
請求項１記載の眼鏡フレームにおいて、感光変色層は、１．５−３ｗ％のフォトクロミック染料と９８．５−９７ｗ％のプラスチック粒子を混合して、粒径７−８μｍの感光変色粒子粉を形成し、感光変色粒子粉を５−３０ｗ％含む塗布原料を眼鏡フレームのロッドの半製品表面に塗布してなることを特徴とする眼鏡フレーム。
【考案の詳細な説明】
【技術分野】
【０００１】
本考案は眼鏡フレームに関する。
【背景技術】
【０００２】
従来から、眼鏡フレームは、一般に、プラスチック製と金属製とに分けられる。よく使用されるプラスチック眼鏡フレームは、高密度、低吸水性のために、変形しにくく丈夫で、耐用性に富むといえる。その欠陥は、重いばかりでなく、可塑性も低いので、各プラスチック眼鏡フレームのメーカは、異なるマーケット、価格又は安全の要請に応えて、軽材質、耐衝撃性に優れた長繊維の眼鏡フレーム材料を推薦した。例えば、ポリアミド、ナイロン、ＦＲＰなど新しい安全プラスチック材料が挙げられる。
金属眼鏡フレーム材料には、早期のものは主に銅合金を採用していた。その中で、白銅が通常使われるが、真鍮、ブロンズは輸出用の金属製サングラスに広く応用される。銅合金の眼鏡フレームの利点は、優れた弾性、調整容易、製造加工簡易、低生産コストなどであるが、腐食し易く、変形するなどの欠点もある。従来から、金属眼鏡フレーム材料の腐食容易、重い材質、着脱の不快適さなどの欠陥を改善するために、安全性、耐用性、快適さに優れた新しい金属が開発されている。例えば、チタン金属、記憶合金（スーパー合金）、コバルド合金などが登場し、これらは現今、金属眼鏡フレームの主流となっている。    
【特許文献１】特になし。
【考案の開示】
【考案が解決しようとする課題】
【０００３】
従来の眼鏡フレームは、プラスチック製又は金属製を問わず、その外観の変化は造形の変更、設計だけである。つまり、この技術分野には、変色作用を持つ眼鏡フレームに関する文献は公開されたことがない。多層薄膜技術の発展により眼鏡ガラスが変色するものがあるが、これは、眼鏡のフレームとガラスが同期して変色することができない。
変化を追求して止まず、拘束されたくない若者にとって、可変性に乏しい眼鏡フレームはユーザのニーズを満足することが出来ないことが分かる。
【０００４】
したがって、本考案の主な目的は、変色作用を持ち、美観を向上させる眼鏡フレームを提供することにある。
【課題を解決するための手段】
【０００５】
上記目的を達成するため、本考案による眼鏡フレームは、フレームのロッドの表面にフォトクロミック材料（感光変色する材料）を塗布してなる１層の感光変色層を設けて、光の強弱により異なる色の変化が生じるようにしたことを特徴としている。
【０００６】
請求項２の眼鏡フレームは、上記感光変色層が、２−５ｗ％のフォトクロミック染料と９８−９５ｗ％の微細カプセル粉を混合して、粒径１−１０μｍの感光変色カプセルを形成し、感光変色カプセルを３−３０ｗ％含む塗布原料を眼鏡フレームのロッドの半製品表面に塗布してなることを特徴としている。
【０００７】
請求項３の眼鏡フレームは、１．５−３ｗ％のフォトクロミック染料と９８．５−９７ｗ％のプラスチック粒子を混合して、粒径７−８μｍの感光変色粒子粉の塗布原料を形成し、５−３０ｗ％の感光変色粒子粉の塗布原料を眼鏡フレームのロッドの半製品表面に塗布してなることを特徴としている。
【考案の効果】
【０００８】
請求項１の考案によれば、眼鏡フレームのロッド表面に感光変色層を設けたので、眼鏡フレームは光の強弱で異なる色の変化が生じるため、眼鏡フレームの美観が向上する。
【０００９】
請求項２の考案によれば、配合率が２−５ｗ％のフォトクロミック染料と９８−９５ｗ％の微細カプセル粉を混合して、粒径１−１０μｍの感光変色カプセル塗布原料を塗布することにより、光の強弱により色が変化する眼鏡フレームが得られる。
【００１０】
請求項３の考案によれば、配合率が１．５−３ｗ％のフォトクロミック染料と９８．５−９７ｗ％のプラスチック粒子を混合して、粒径７−８μｍの感光変色粒子粉の塗布原料を塗布することにより、光の強弱により色が変化する眼鏡フレームが得られる。
【考案を実施するための最良の形態】
【００１１】
次に、本考案の実施の形態について、図面に基づいて説明する。
図１は本考案の眼鏡フレームに塗布される感光変色層の一例の構成を示す説明図、図２は同じく感光変色層の他例の構成を示す説明図である。図３は本考案の眼鏡フレームに第一種の感光変色層の形成方法を示す説明図、図４は同じく第二種の感光変色層の形成方法を示す説明図である。図５は本考案の眼鏡フレームの局部を示す断面図であり、感光変色層を形成した後の状態及び相対的な関係を示す。図６は、本考案の眼鏡フレームの構成を表す斜視図である。
【００１２】
図６の眼鏡フレーム１０は、図５に示すようにロッド１５の環状部分にユーザの目に対応する眼鏡レンズ２０を嵌め込む。眼鏡フレーム１０のロッド１５はプラスチック材料又は金属材料で作られる。眼鏡フレーム１０のロッド１５は、任意の外観、形状を有する。以上に述べた眼鏡フレーム１０の構造は既存のものと同じであり、本考案の特徴ではないので、詳しい説明を省略する。
【００１３】
本考案の特色は、眼鏡フレーム１０のロッド１５における表面に、１層の感光変色層３０が塗布されていることである。感光変色層３０の第１実施例は、図１に示すように、２−５ｗ％のフォトクロミック染料と、９８−９５ｗ％の微細カプセル粉を混合して、１−１０μｍの感光変色カプセル粉を形成し、その感光変色カプセル粉を３−３０ｗ％含むものを塗布原料とするものである。
【００１４】
続いて、図３に示すように、感光変色カプセル粉の塗布原料を眼鏡フレーム１０のロッド１５の半製品表面（図５参照）に塗布すると，感光変色層３０が眼鏡フレーム１０に形成される。
【００１５】
感光変色層３０の第２実施例は、図２に示すように、１．５−３ｗ％のフォトクロミック染料と、９８．５−９７ｗ％のプラスチック粒子粉を混合して、７−８μｍの感光変色粒子粉を形成する。その感光変色粒子粉を５−３０ｗ％含むものを塗布原料とする。続いて、図４に示すように、感光変色粒子粉の塗布原料を眼鏡フレーム１０のロッド１５の半製品表面（図５参照）に塗布することにより、感光変色層３０が眼鏡フレーム１０に形成される。
【００１６】
要するに、本考案は、感光変色染料を微細カプセル粉又はプラスチック粒子に混ぜ、感光変色カプセル粉又は感光変色粒子粉を形成し、その感光変色カプセル粉又は感光変色粒子粉の塗料原料を眼鏡フレームのロッドの表面に塗布することにより、眼鏡フレームが外来光に反応して、すなわち、異なる光の強弱に応じて異なる色を発生する。従って、眼鏡フレームの美観が増進される。
【００１７】
以上の構造により、図５、図６に示すように、眼鏡フレーム１０の表面に１層の感光変色層３０を塗布するので、光の強弱により感光された眼鏡フレーム１０は異なる色彩の変化が生じる。眼鏡レンズ２０に多層薄膜技術によるレンズを併用すると、レンズの色彩の変化に合わせて、フレームの色も同時に変化するので、眼鏡全体の変化性が向上する。つまり、眼鏡フレーム１０の美感、美感を増進させる以外、商品の購買訴求力が大幅に向上される効果が得られる。
【図面の簡単な説明】
【００１８】
【図１】本考案の眼鏡フレームに塗布される感光変色層の一例の構成を示す説明図。
【図２】同じく感光変色層の他例の構成を示す説明図。
【図３】本考案の眼鏡フレームに第一種の感光変色層の形成方法を示す説明図。
【図４】同じく第二種の感光変色層の形成方法を示す説明図。
【図５】本考案の局部を示す断面図であり、感光変色層を形成した後の状態及び相対的な関係を示す。
【図６】本考案の眼鏡フレームの構成を表す斜視図。
【符号の説明】
【００１９】
１０  眼鏡フレーム
１５  ロッド
２０  眼鏡レンズ    
３０  感光変色層
【図１】
0003105328.tif 000003
【図２】
0003105328.tif 000004
【図３】
0003105328.tif 000005
【図４】
0003105328.tif 000006
【図５】
0003105328.tif 000007
【図６】
0003105328.tif 000008